(57)【特許請求の範囲】
【請求項１】
隣接する屋根と屋根の谷間に設けられる谷樋の取付け構造であって、
谷樋は、谷樋吊持具で吊持されて隣接する屋根と屋根の谷間に取付けられており、
上記谷樋吊持具が、谷樋の側壁を保持する一対の谷樋保持部を有したものであり、該谷樋保持部には、谷樋を隣接する屋根と屋根の谷間に取付けた状態で固定する第一固定部が形成されていて、一方又は双方の谷樋保持部の途中から下側部分には、外側に形成された、又は、外側に折り曲げ可能に形成された折り曲げ部と、折り曲げ部の上記第一固定部より下側に形成された、谷樋を移動させた後の状態で固定する第二固定部とが備えられており、上記第一固定部と第二固定部は一続きの長孔で繋がっていて、
谷樋が、隣接する屋根と屋根の谷間に取付けられた状態から、上記谷樋保持部の長孔に沿って谷樋を下方に移動可能にしたことを特徴とする谷樋取付け構造。
【請求項２】
請求項１に記載の谷樋取付け構造に用いられる谷樋吊持具であって、谷樋の側壁を保持する一対の谷樋保持部を有し、該谷樋保持部には、谷樋を隣接する屋根と屋根の谷間に取付けた状態で固定する第一固定部が形成されていて、一方又は双方の谷樋保持部の途中から下側部分には、外側に形成された、又は、外側に折り曲げ可能に形成された折り曲げ部と、折り曲げ部の上記第一固定部より下側に形成された、谷樋を移動させた後の状態で固定する第二固定部とが備えられており、上記第一固定部と第二固定部は一続きの長孔で繋がっていることを特徴とする谷樋吊持具。
【請求項３】
請求項１に記載の谷樋取付け構造に用いられる谷樋吊持具であって、谷樋の側壁を保持する一対の谷樋保持部を有し、該谷樋保持部には、谷樋を隣接する屋根と屋根の谷間に取付けた状態で固定する第一固定部が形成されていて、一方又は双方の谷樋保持部の下端部には、外側に向って形成された、又は、外側に折り曲げ可能に形成された折り曲げ部と、折り曲げ部の先端部に形成された、谷樋を移動させた後の状態で固定する第二固定部とが備えられており、上記第一固定部と第二固定部は一続きの長孔で繋がっていることを特徴とする谷樋吊持具。
【発明の詳細な説明】
【技術分野】
【０００１】
本発明は、隣接する屋根と屋根の谷間に設けられる谷樋の取付け構造と、それに用いる谷樋吊持具に関するものである。
【背景技術】
【０００２】
隣接する屋根と屋根の谷間には、屋根に降雨した雨水を排水するための谷樋が設けられている。この谷樋は、雨水を縦樋に導くと共に、屋根の裏面に雨水が回り込むのを防止する役割を果たす。
【０００３】
このような谷樋を屋根に取付ける部材として、谷樋を受けるコ字状の樋受部と、該樋受部の端部に連結され屋根に谷樋受け金具を取付ける取付部とが設けられ、該取付部は、樋受部に回転自在に連結された谷樋受け金具が提案されている（特許文献１）。
【０００４】
上記の谷樋受け金具は、隣接する屋根に段差が生じていたり、その傾斜角度が異なっていたとしても、取付部を回転させることで谷樋を取付けることができる汎用性を備えたものであった。
【０００５】
ところで、通常、谷樋のメンテナンスは、屋根の上に人が登って谷樋の内部を清掃作業することにより行われる。このような作業は、作業員の危険を伴うものであった。
しかしながら、上記特許文献１の谷樋受け金具は、そのようなメンテナンスのことを深く考慮したものではない。
【先行技術文献】
【特許文献】
【０００６】
【特許文献１】特開２００２−２９４９４５号公報
【発明の概要】
【発明が解決しようとする課題】
【０００７】
本発明は上記の問題に鑑みてなされたもので、その解決しようとする課題は、屋根の上に登らなくても地上から谷樋のメンテナンスができる谷樋取付け構造と、それに用いる谷樋吊持具を提供することにある。
【課題を解決するための手段】
【０００８】
上記目的を達成するため、本発明に係る谷樋の取付け構造は、隣接する屋根と屋根の谷間に設けられる谷樋の取付け構造であって、谷樋は、谷樋吊持具で吊持されて隣接する屋根と屋根の谷間に取付けられており、上記谷樋吊持具が、谷樋の側壁を保持する一対の谷樋保持部を有したものであり、該谷樋保持部には、谷樋を隣接する屋根と屋根の谷間に取付けた状態で固定する第一固定部が形成されていて、一方又は双方の谷樋保持部の途中から下側部分には、外側に形成された、又は、外側に折り曲げ可能に形成された折り曲げ部と、折り曲げ部の上記第一固定部より下側に形成された、谷樋を移動させた後の状態で固定する第二固定部とが備えられており、上記第一固定部と第二固定部は一続きの長孔で繋がっていて、谷樋が、隣接する屋根と屋根の谷間に取付けられた状態から、上記谷樋保持部の長孔に沿って谷樋を下方に移動可能にしたことを特徴とするものである。
【００１０】
次に、上記谷樋の取付け構造に用いられる谷樋吊持具は、谷樋の側壁を保持する一対の谷樋保持部を有し、該谷樋保持部には、谷樋を隣接する屋根と屋根の谷間に取付けた状態で固定する第一固定部が形成されていて、一方又は双方の谷樋保持部の途中から下側部分には、外側に形成された、又は、外側に折り曲げ可能に形成された折り曲げ部と、折り曲げ部の上記第一固定部より下側に形成された、谷樋を移動させた後の状態で固定する第二固定部とが備えられており、上記第一固定部と第二固定部は一続きの長孔で繋がっていることを特徴とする。
【００１１】
また、谷樋の側壁を保持する一対の谷樋保持部を有し、該谷樋保持部には、谷樋を隣接する屋根と屋根の谷間に取付けた状態で固定する第一固定部が形成されていて、一方又は双方の谷樋保持部の下端部には、外側に向って形成された、又は、外側に折り曲げ可能に形成された折り曲げ部と、折り曲げ部の先端部に形成された、谷樋を移動させた後の状態で固定する第二固定部とが備えられており、上記第一固定部と第二固定部は一続きの長孔で繋がっている谷樋吊持具も好ましい。
【発明の効果】
【００１２】
本発明の谷樋の取付け構造は、谷樋が、隣接する屋根と屋根の谷間に谷樋吊持具で吊持されて取付けられた状態から、谷樋を下方に移動できるようにしたものである。従って、谷樋をメンテナンスする際は、通常の取付け位置から谷樋を下方に移動させることで、谷樋までの距離が近くなると共に屋根と谷樋の間に隙間が生まれて、地上からでも谷樋内部の清掃作業を行うことができるので、従来のように、屋根の上に登らなくても谷樋のメンテナンスを行うことができて、作業員のリスクを回避することができる。
【００１４】
特に、谷樋吊持具が、谷樋の側壁を保持する一対の谷樋保持部を有したものであり、該谷樋保持部には、谷樋を隣接する屋根と屋根の谷間に取付けた状態で固定する第一固定部が形成されていて、一方又は双方の谷樋保持部の途中から下側部分には、外側に形成された、又は、外側に折り曲げ可能に形成された折り曲げ部と、折り曲げ部の上記第一固定部より下側に形成された、谷樋を移動させた後の状態で固定する第二固定部とが備えられており、上記第一固定部と第二固定部は一続きの長孔で繋がっているため、谷樋保持部の長孔に沿って谷樋を移動させるだけで、容易に谷樋を下方に移動させて傾けることができる。
尚、折り曲げ可能とは、例えば、谷樋保持部の途中から下側部分にヒンジを取付けて、そのヒンジから下側部分を回転させることで、谷樋保持部の下端部を外側に折り曲げるようにしたことなどをいう。
【００１５】
次に、上記の谷樋取付け構造に用いられる本発明の谷樋吊持具は、谷樋の側壁を保持する一対の谷樋保持部を有し、該谷樋保持部には、谷樋を隣接する屋根と屋根の谷間に取付けた状態で固定する第一固定部が形成されていて、一方又は双方の谷樋保持部の途中から下側部分には、外側に形成された、又は、外側に折り曲げ可能に形成された折り曲げ部と、折り曲げ部の上記第一固定部より下側に形成された、谷樋を移動させた後の状態で固定する第二固定部とが備えられており、上記第一固定部と第二固定部は一続きの長孔で繋がっていることを特徴とするか、又は、谷樋の側壁を保持する一対の谷樋保持部を有し、該谷樋保持部には、谷樋を隣接する屋根と屋根の谷間に取付けた状態で固定する第一固定部が形成されていて、一方又は双方の谷樋保持部の下端部には、外側に向って形成された、又は、外側に折り曲げ可能に形成された折り曲げ部と、折り曲げ部の先端部に形成された、谷樋を移動させた後の状態で固定する第二固定部とが備えられており、上記第一固定部と第二固定部は一続きの長孔で繋がっていることを特徴とし、このような構成の谷樋吊持具は、第一固定部と第二固定部が一続きの長孔で繋がっているので、この吊持具を用いて谷樋を屋根と屋根の谷間に取付けると、谷樋を下方に移動させて傾けるということを一連の作業で行えるようになり、前述したような、メンテナンス性の良好な谷樋の取付け構造を容易に構築することが可能となる。
【図面の簡単な説明】
【００１７】
【図１】本発明の参考形態に係る谷樋の取付け構造を示すものであって、（ａ）は谷樋を屋根と屋根の谷間に取付けた状態の横断面図、（ｂ）は谷樋を下方に移動させた状態の横断面図である。
【図２】同取付け構造の縦断面図である。
【図３】同取付け構造に用いる屋根を示すものである。
【図４】同取付け構造に用いる谷樋を示すものであって、（ａ）は正面図、（ｂ）は側面図である。
【図５】同取付け構造に用いる本発明の参考形態に係る谷樋吊持具を示すものであって、（ａ）は平面図、（ｂ）は正面図、（ｃ）は左側面図、（ｄ）は右側面図である。
【図６】同取付け構造の谷樋と縦樋との接続方法の一例を示す概略説明図である。
【図７】図６の状態から縦樋７を回転させた状態を示す概略説明図である。
【図８】本発明の他の参考形態に係る谷樋吊持具を示す側面図である。
【図９】スペーサーを用いた谷樋吊持具を示す断面図である。
【図１０】本発明の一実施形態に係る谷樋の取付け構造を示すものであって、（ａ）は谷樋を屋根と屋根の谷間に取付けた状態の横断面図、（ｂ）は谷樋を下方に移動させて傾けた状態の横断面図である。
【図１１】同取付け構造に用いる本発明の谷樋吊持具を示すものであって、（ａ）は平面図、（ｂ）は正面図、（ｃ）は左側面図、（ｄ）は右側面図である。
【図１２】同取付け構造のメンテナンス方法を示す説明図である。
【図１３】同取付け構造のメンテナンス方法を示すものであって、谷樋を折り曲げ部で仮固定した状態の横断面である。
【図１４】本発明の他の実施形態に係る谷樋吊持具の正面図である。
【図１５】本発明の谷樋の取付け構造と、上端を折り曲げて谷樋を傾けた形態を比較する説明図である。
【発明を実施するための最良の形態】
【００１８】
以下、図面を参照して本発明の具体的な実施形態を詳述する。
【００１９】
図１に示す本発明の参考形態に係る谷樋の取付け構造は、傾斜勾配が設けられた屋根１，１間に形成される谷間１Ａに、谷樋吊持具３を用いることで谷樋２を設けたものであり、例えば集合住宅の自転車の駐輪場などに好適に構築される構造体である。
【００２０】
この谷樋の取付け構造に用いられる屋根１は、図３に示すように、下広がりの台形状の山部１ａを複数有する折板屋根であって、ポリカーボネート樹脂、アクリル樹脂、塩化ビニル樹脂などの合成樹脂で成形されている。この屋根１は支持材（不図示）に固定されていて、図２に示すように、一方の屋根１の山部１ａと、前後方向に隣接する屋根１の山部１ａを一山重ね合わせることで、屋根１，１同士が前後に連結されている。
尚、自然光を効果的に取り入れるために、透光性を有する屋根１を用いることも好ましい。また、上記のような合成樹脂の他にも、金属材料やＦＲＰで屋根１を形成してもよい。
【００２１】
上記屋根１，１の谷間１Ａに設けられる谷樋２は、図４の（ａ）に示すように、底壁２ａと、その底壁２ａの両端から立ち上がる左右の側壁２ｂ，２ｂからなるもので、図４の（ａ），（ｂ）に示すように、側壁２ｂの上端には、後述するボルト４ａのヘッド部分を嵌入するスライド溝２ｃが、谷樋２の長さ方向の全域に亘って形成されている。このスライド溝２ｃは、ボルト４ａのヘッド部分の径よりも若干大きく形成されており、ボルト４ａがスライド溝２ｃをスライド可能にすると共に、ヘッド部分が内側で回転しないように抑制している。
【００２２】
上記谷樋２は、図５に示す谷樋吊持具３によって吊持されて、屋根１，１の谷間１Ａに取付けられている。この谷樋吊持具３は、図１、図５の（ｂ）に示すように、谷樋２の側壁２ｂ，２ｂを外側から保持する一対の谷樋保持部３ｂ，３ｂと、それらを連結する連結部３ａからなるコ字形をした金属製の吊持具で、図５の（ａ）に示すように、連結部３ａには、ボルト挿通孔３ｄが２箇所穿孔されていると共に、図５の（ｃ），（ｄ）に示すように、谷樋保持部３ｂには長円形の長孔３ｃが形成されている。図５の（ｃ）に示すように、左側の谷樋保持部３ｂに形成された長孔３ｃは、後述するように、ボルト４ａをスライドさせて取付ける関係から、上端が後方へ切欠かれて、ボルト通過部３ｅが形成されている。
【００２３】
上記構成の谷樋吊持具３は、図１に示すように、左側の屋根１と右側の屋根１にそれぞれ固定された貫通ボルト５ａ，５ａによって、屋根１，１に吊り下げられて取付けられている。この貫通ボルト５ａは、図２に示す山部１ａと山部１ａが重ね合わされた前後の屋根１，１の連結部分に、上方より座金５ｃを介して挿通されている。そして、山部１ａの下方より座金５ｃを介してナット５ｂを締め込むことにより、貫通ボルト５ａが屋根１に固定されている。この貫通ボルト５ａを挿通する箇所は、屋根１の強度を考慮して、屋根１の山部１ａの形状に沿うよう下広がりの台形状に形成された、厚みが２ｍｍ程度のアルミ製のカバー部材６により補強されている。
尚、屋根１の強度が十分な場合は、谷樋吊持具３の取付け箇所を、本参考形態のようにカバー部材６を用いて補強する必要はなく、また、必ずしも屋根１，１の山部１ａ，１ａを重ね合わせた箇所に取付ける必要もない。
【００２４】
上記の要領で左右の屋根１，１に固定された貫通ボルト５ａ，５ａの下端部を、谷樋吊持具３の連結部３ａのボルト挿通孔３ｄに挿通し、連結部３ａの上下から座金５ｃ，５ｃを介して２つのナット５ｂ，５ｂを締め込むことによって、谷樋吊持具３が屋根１，１から吊り下げられて取付けられている。
尚、本参考形態の谷樋吊持具３は、屋根１，１に取付けられているが、この他にも例えば梁や母屋などの支持材等にも取付けることができる。
【００２５】
そして、上記のように、屋根１，１から吊り下げられた谷樋吊持具３に吊持されて、谷樋２が屋根１，１の谷間１Ａに取付けられている。この谷樋２の取付けは、谷樋２の右側壁２ｂのスライド溝２ｃに、ボルト４ａのヘッド部分を嵌入し、谷樋吊持具３が吊り下げられた箇所までボルト４ａをスライドさせる。そして、左下がりとなるように谷樋２を傾けて、谷樋吊持具３の右側の長孔３ｃにボルト４ａを挿通し、袋ナット４ｂを締め込む。このとき、ボルト４ａのヘッド部分は谷樋２のスライド溝２ｃに当接して回転が抑制されているので、ボルト４ａのヘッド部分に工具を当てがわなくても、袋ナット４ｂを締め込むことができる。このように、谷樋２の右側壁２ｂと谷樋吊持具３の右側の谷樋保持部３ｂを固定すると、次に、谷樋２の左側壁２ｂのスライド溝２ｃにボルト４ａのヘッド部分を嵌入して、上記と同様に、谷樋吊持具３が吊り下げられた箇所までスライドさせる。谷樋吊持具３の左側の谷樋保持部３ｂの上端は、上記のように切欠かれているので、そのボルト通過部３ｅよりボルト４ａを長孔３ｃに挿通し、袋ナット４ｂを締め込むことで、谷樋２は谷樋吊持具３に吊持された状態で屋根１，１の谷間１Ａに取付けられる。この際、ボルト４ａの挿通箇所は長円形の長孔３ｃとなっているので、ボルト４ａと袋ナット４ｂを上下させることで、谷樋２の流れ勾配の調整ができ、また、一度谷樋２を取付け後からでも容易に修正することができる。
【００２６】
本参考形態の最大の特徴は、上記のように、谷樋吊持具３で谷樋２を吊持して屋根１，１に取付けた状態から、簡易な作業で谷樋２を下方に移動可能としたことにある。このように本参考形態は、谷樋２を取付けた状態のまま下方に移動可能とすることで、良好なメンテナンス性を実現することができるものであるが、谷樋２を上下方向にスライドさせる取付具があったとしても、谷樋２を取付けた状態のまま下方に移動できるものでなければ、そのような作用効果は期待できない。次に、その谷樋２を取付けた状態のまま下方に移動させて行う、谷樋のメンテナンス方法を説明する。
【００２７】
まず、谷樋２に接続された縦樋７を谷樋２と分離することから始まる。谷樋２と縦樋７は、図６に示すように、落し口９、集水継手１０、横管１１、エルボ継手１２を介して接続されている。落し口９は、谷樋２の排水口２ｄに、パッキン（不図示）を介してビス１４留めにより接続されており、その落し口９に集水継手１０が外嵌接続されている。この谷樋２の落し口９が接続される箇所には、何度もビス１４打ちができるようにするため、底壁２ａよりも肉厚な厚肉部２ｅが谷樋２の長さ方向の全長に亘って形成されている。そして、集水継手１０の排水口１０ａに横管１１の一端が接続されていて、横管１１の他端はエルボ継手１２の一方に接続されていると共に、エルボ継手１２の他方には、縦樋７が接続されており、この縦樋７は、金属製や合成樹脂製の支持具８によって支柱１３に支持されている。このとき縦樋７は、ボルト留めのように強固な手段で支柱１３に固定されてはおらず、縦樋７の軸線を中心に回転できる程度に支持されているに留まる。
尚、谷樋２の底壁２ａ全体を肉厚（換言すれば側壁２ｂよりも肉厚）に形成してもよいし、谷樋２の長さ方向の全長に亘って厚肉部２ｅを形成するのでなく、ビス１４打ちする部分のみに厚肉部２ｅを形成してもよい。
【００２８】
このように谷樋２と縦樋７が接続されているので、分離する際は、まず、ビス１４を取り外して、落し口９と谷樋２を分離する。次いで、図７に示すように、縦樋７の軸線を中心にして、縦樋７、落し口９、集水継手１０、横管１１、エルボ継手１２を回転（本実施形態では反時計回り）させて、谷樋２の下方に干渉する部材が何もない状態にする。そして、両側の袋ナット４ｂ，４ｂを緩めると、谷樋２が下方に移動する。このように谷樋２を下方に移動させると、図１の（ｂ）に示すように、屋根１の裏面から谷樋２の側壁２ｂの上端までの距離が長くなるので、屋根１の裏面と谷樋２の間にスペースが生まれ、また、地上からの距離も近くなるので、地上からでもそのスペースより谷樋２の内部を清掃することが可能となる。
尚、本参考形態の谷樋２と落し口９の接続は、上記のように、ビス１４留めにより行われているが、スライド溝２ｃを利用して取り付けたバンド等の固定具を谷樋２と落し口９の周囲に巻き付けることで接続してもよいし、谷樋２の底壁２ａに落し口９を嵌入するスライド溝を形成して、そのスライド溝に落し口９を嵌入して谷樋２と落し口９を接続してもよい。
【００２９】
尚、袋ナット４ｂを緩め過ぎると、谷樋２がその自重で勢いよく下方に移動してしまう恐れがある。これを防止するには、例えば図８に示すような谷樋吊持具３０を用いればよい。この谷樋吊持具３０は、逆Ｌ字形の長孔３０ｃが谷樋保持部３ｂに形成されたものであるので、袋ナット４ｂを緩めた後に、谷樋２を前後方向に移動させなければ、谷樋２が下方に移動しない。従って、このような谷樋吊持具３０を用いれば、袋ナット４ｂを緩めると同時に谷樋２がその自重で勢いよく下方に移動してしまう心配がなくなる。
【００３０】
また、屋根１の位置が高い場合など、谷樋２をより下方に移動させたいときは、図９に示すようなスペーサー３Ａを用いればよい。このスペーサー３Ａは、ボルト４ａを挿通する長孔３１ｃが穿孔された平板で、上記のボルト４ａと袋ナット４ｂにより谷樋吊持具３に取付けられている。そして、このスペーサー３Ａに、ボルト４ａとナット４０ｂによって谷樋２が取付けられている。このようなスペーサー３Ａを用いた場合、谷樋２を下方に移動させるには、まず、袋ナット４ｂを緩めて、図９の（ｂ）に示すように、谷樋２とスペーサー３Ａを谷樋吊持具３の長孔３ｃの下端まで移動させる。次いで、ナット４０ｂを緩めて、図９の（ｃ）に示すように、谷樋２をスペーサー３Ａの長孔３１ｃの下端まで移動させる。このようなスペーサー３Ａを用いると、スペーサー３Ａの長孔３１ｃの寸法分（長孔３１ｃの上端から下端までの寸法分）だけ、谷樋２を余分に下方へ移動させることができるようになるので、屋根１が高い場合でも、地上から谷樋２のメンテナンスを実施することができる。
【００３１】
上記のように、本発明の参考形態に係る谷樋の取付け構造は、谷樋２が、隣接する屋根１と屋根１の谷間１Ａに取付けられた状態から、簡易な作業で谷樋２を下方に移動させることができるので、従来のように、屋根の上に登らなくても谷樋２のメンテナンスを行うことができ、作業員のリスクを回避することができる。
【００３２】
図１０は本発明の一実施形態に係る谷樋の取付け構造を示すものであって、（ａ）は谷樋を屋根と屋根の谷間に取付けた状態の横断面図、（ｂ）は谷樋を下方に移動させて傾けた状態の横断面図、図１１は同取付け構造に用いる本発明の谷樋吊持具を示すものであって、（ａ）は平面図、（ｂ）は正面図、（ｃ）は左側面図、（ｄ）は右側面図、図１２は同取付け構造のメンテナンス方法を示す説明図である。
【００３３】
本実施形態の谷樋取付け構造の特徴は、図１１に示す谷樋吊持具３１を用いることにある。図１１の（ｂ）に示すように、この谷樋吊持具３１も、一対の谷樋保持部３ｂ，３ｂと、それらを連結する連結部３ａからなるもので、図１１の（ａ）に示すように、その連結部３ａには２つのボルト挿通孔３ｄが穿孔されている。この谷樋吊持具３１の一方（本実施形態では右側）の谷樋保持部３ｂの下端部には、外側に向って斜め４５°の角度で折り曲げて形成された折り曲げ部３ｆと、その折り曲げ部３ｆの先端を更に斜め４５°の角度で折り曲げて地面と平行に形成された第二保持部３ｇが備わっている。
【００３４】
そして、この谷樋吊持具３１には、図１１の（ｂ）に示すように、谷樋保持部３ｂから折り曲げ部３ｆを経由して第二保持部３ｇに至る、一続きの長孔３２ｃが形成されている。この長孔３２ｃの上端（基端）は、谷樋２を隣接する屋根１と屋根１の谷間１Ａに取付けた状態（下方に移動させる前の状態）で固定する第一固定部Ｆ１となっており、長孔３２ｃの下端（先端）は、谷樋２を移動させて傾けた状態で固定する第二固定部Ｆ２となっている。
【００３５】
一方、図１１の（ｃ）に示すように、左側の谷樋保持部３ｂには、ボルト４ａを挿通する挿通孔３３ｃが穿孔されており、この挿通孔３３ｃが、谷樋２を隣接する屋根１と屋根１の谷間１Ａに取付けた状態（下方に移動させる前の状態）で固定する第一固定部Ｆ１とされている。そして、この挿通孔３３ｃも、前述した谷樋吊持具３と同様に、切欠かれてボルト通過部３ｅが形成されている。
【００３６】
図１０に示すように、上記構成の谷樋吊持具３１は、前述した参考形態の谷樋の取付け構造と同様に、左右の屋根１，１に固定された貫通ボルト５ａ，５ａの下端部を、谷樋吊持具３１の連結部３ａのボルト挿通孔３ｄに挿通し、上下から座金５ｃ，５ｃを介して２つのナット５ｂ，５ｂを締め込むことによって屋根１，１から吊り下げられている。そして、右側の谷樋保持部３ｂの長孔３２ｃにボルト４ａを挿通し、袋ナット４ｂを締め込むことで、ボルト４ａが第一固定部Ｆ１に当接する位置で谷樋２の右側壁２ｂを固定している。また、谷樋２の左側壁２ｂのスライド溝２ｃにボルト４ａのヘッド部分を嵌入し、前述した参考形態と同様に、谷樋吊持具３１が吊り下げられた箇所までスライドさせて、ボルト通過部３ｅよりボルト４ａを第一固定部Ｆ１である挿通孔３３ｃに挿通し、袋ナット４ｂを締め込むことで、谷樋２は谷樋吊持具３１よって吊持されて、屋根１，１の谷間１Ａに取付けられている。
【００３７】
このような谷樋の取付け構造のメンテナンスは、図１２に示すように、谷樋２の左側壁２ｂを固定していた袋ナット４ｂを緩めて、袋ナット４ｂをボルト４ａと共にスライドさせて、谷樋２の左側壁２ｂの固定を解除する。次いで、谷樋２の右側壁２ｂを固定していた袋ナット４ｂを、谷樋２の固定を解除できる程度に緩めて、ボルト４ａ、袋ナット４ｂと共に谷樋２を谷樋保持部３ｂ（長孔３２ｃ）に沿わせながら下方に移動させていく。このように谷樋保持部３ｂの下端部まで谷樋２を移動させて、そこから更に長孔３２ｃの内部を移動させると、ボルト４ａ、袋ナット４ｂと谷樋２は、折り曲げ部３ｆに沿いながら、谷樋２の左側の側壁２ｂが右側の側壁２ｂよりも低い位置（左下がり）となって傾いていき、最終的には、図１０の（ｂ）に示すように、第二保持部３ｇに沿いながら第二固定部Ｆ２まで移動する。谷樋２が第二固定部Ｆ２まで移動すると、第二保持部３ｇが地面と平行に形成されているので、谷樋２は左下がりに９０°傾くことになる。このように谷樋２を９０°傾けて、袋ナット４ｂを締め込んで谷樋２を第二固定部Ｆ２に仮固定したのち、谷樋２内部の清掃作業を行う。
尚、上記のように、谷樋２を９０°傾けると、谷樋２の内部に堆積している落ち葉等のゴミがこぼれ落ちてしまうことがある。このように、落ち葉等が大量に堆積している場合は、図１３に示すように、谷樋２を第二保持部３ｇまで移動させずに、谷樋２を４５°傾けた状態の折り曲げ部３ｆで仮固定し、その状態で落ち葉等のゴミを大方取り除き、その後、第二固定部Ｆ２まで谷樋２を移動させて、その内部をきれいに清掃すればよい。
また、屋根１の位置が低いなど、谷樋２を４５°傾けた状態でも十分に内部の清掃ができる場合は、図示はしないが、折り曲げ部３ｆの先端に第二保持部３ｇを必ずしも設ける必要がなく、そのような場合は、折り曲げ部３ｆに第二固定部Ｆ２を形成してもよい。
【００３８】
更に、図１４に示す谷樋吊持具３２を用いれば、落ち葉等の堆積状況やメンテナンスに用いる清掃用具の形状などに応じて谷樋２の角度を任意に微調整することができる。即ち、上記の谷樋吊持具３１の折り曲げ部３ｆが、屈曲して形成されていたのに対して、この図１４に示す谷樋吊持具３２の折り曲げ部３０ｆは湾曲して形成されている。このような谷樋吊持具３２で谷樋２を吊持すると、任意の角度（この実施形態では０°〜９０°の範囲）で谷樋２を仮固定できるようになり、メンテナンスの作業性が一層向上する。
尚、折り曲げ部３０ｆを更に延長して、調整角度を０°〜１８０°にまですることができるのは言うまでもない。
【００３９】
以上のように、本実施形態の谷樋吊持具３１を用いた谷樋の取付け構造は、谷樋２を下方に移動させるだけでなく、谷樋２を９０°傾けてからメンテナンスを行うため、より低い位置からでも谷樋２の清掃作業が可能となり、落ち葉等のゴミも掻き出し易くなる、といった顕著な効果を奏するものである。しかも、図１５の（ａ）に示すように、本発明の谷樋吊持具３１は、谷樋保持部３ｂの下端部に折り曲げ部３ｆを設けることで、谷樋２を傾けた際の幅Ｗ１が、図１５の（ｂ）に示す、谷樋固定部１０１の上端部にヒンジ１０２を設けると共に、そのヒンジ１０２を中心にして谷樋２を傾けるようにした谷樋取付け具１００の傾け幅Ｗ２と比較すると、遥かに小さくて済み、大きなメンテナンススペースを必要としないので、傾けた谷樋２が縦樋７や支柱１３等に干渉する心配がなくなる、といった利点もある。
【符号の説明】
【００４０】
１    屋根
１ａ  山部
１Ａ  屋根と屋根の谷間
２    谷樋
２ａ  底壁
２ｂ  側壁
２ｃ  スライド溝
２ｄ  排水口
２ｅ  厚肉部
３，３０，３１，３２  谷樋吊持具
３ａ  連結部
３ｂ  谷樋保持部
３ｃ，３０ｃ，３２ｃ  長孔
３３ｃ  挿通孔（第一固定部）
３ｄ  ボルト挿通孔
３ｅ  ボルト通過部
３ｆ，３０ｆ  折り曲げ部
３ｇ  第二保持部
Ｆ１  第一固定部
Ｆ２  第二固定部
３Ａ  スペーサー
３１ｃ  長孔
４ａ  ボルト
４ｂ  袋ナット
４０ｂ  ナット
５ａ  貫通ボルト
５ｂ  ナット
５ｃ  座金
６    カバー部材
７    縦樋
８    支持具
９    落し口
１０  集水継手
１０ａ  排水口
１１  横管
１２  エルボ継手
１３  支柱
【図１】
0005815305.tif 000002
【図２】
0005815305.tif 000003
【図３】
0005815305.tif 000004
【図４】
0005815305.tif 000005
【図５】
0005815305.tif 000006
【図６】
0005815305.tif 000007
【図７】
0005815305.tif 000008
【図８】
0005815305.tif 000009
【図９】
0005815305.tif 000010
【図１０】
0005815305.tif 000011
【図１１】
0005815305.tif 000012
【図１２】
0005815305.tif 000013
【図１３】
0005815305.tif 000014
【図１４】
0005815305.tif 000015
【図１５】
0005815305.tif 000016